(57)【要約】【課題】フォーマットの制限によらず、記録操作に対するユーザの使い勝手を向上させるようにする。【解決手段】  例えばDVDフォーマットでは１つのタイトルに含めるチャプタの最大個数は９９個であると規定されている。このため、タイトル１のチャプタ９９（chap９９）に対応するデータがDVDに記録されている最中に、一時停止ボタン押下操作がなされると、タイトル１が生成されて、記録再生装置の状態が、記録状態から記録停止状態に推移することが禁止され、その代わり、一時停止状態に推移する。次に、一時停止ボタン解除操作がなされると、記録再生装置の状態が一時停止状態から記録状態に再度遷移し、タイトル２のチャプタ１（title2-chap1）の記録が開始される。本発明は、記録用メディアとして少なくともDVDを有する記録再生装置に適用可能である。【選択図】図４
2006302443.tif 000002
【特許請求の範囲】
【請求項１】
大単位に含ませることが可能な小単位の最大個数が少なくとも規定されている所定のフォーマットに従って、所定のメディアにデータを前記大単位かつ前記小単位毎に記録する情報処理装置において、
次の前記小単位に含めるデータの記録を開始させる第１の指令、および、その記録を終了させる第２の指令を発行する指令手段と、
前記指令手段による前記第２の指令のこれまでの発行回数に基づいて、前記所定のメディアへの記録対象である前記大単位にその時点で含まれている前記小単位の個数を管理する管理手段と、
第１の大単位に含めるデータを前記所定のメディアに記録させている最中に、前記管理手段により管理されている前記小単位の個数が前記最大個数となり、その後、前記指令手段から前記第２の指令が発行された場合、前記第１の大単位についての終了処理を実行し、その状態を記録状態から一時停止状態に遷移させ、その後、前記指令手段から前記第１の指令が発行された場合、その状態を前記一時停止状態から前記記録状態に再び遷移させ、新たな第２の大単位の１番目の前記小単位に含めるデータを前記所定のメディアに記録させることを開始する制御を行う記録制御手段と
を備えることを特徴とする情報処理装置。
【請求項２】
前記所定のメディアはDVD（Digital Versatile Disk）であり、
前記所定のフォーマットは、前記大単位としてタイトルが規定され、かつ、前記小単位としてチャプタが規定されているDVDフォーマットであり、
前記第２の指令は、ユーザによる記録の一時停止の操作に基づく指令であり、前記第１の指令は、前記ユーザによる記録の一時停止解除の操作に基づく指令である
ことを特徴とする請求項１に記載の情報処理装置。
【請求項３】
大単位に含ませることが可能な小単位の最大個数が少なくとも規定されている所定のフォーマットに従って、所定のメディアにデータを前記大単位かつ前記小単位毎に記録する情報処理装置の情報処理方法において、
次の前記小単位に含めるデータの記録を開始させる第１の指令、および、その記録を終了させる第２の指令を発行する指令ステップと、
前記指令ステップの処理による前記第２の指令のこれまでの発行回数に基づいて、前記所定のメディアへの記録対象である前記大単位にその時点で含まれている前記小単位の個数を管理する管理ステップと、
第１の大単位に含めるデータを前記所定のメディアに記録させている最中に、前記管理ステップの処理により管理されている前記小単位の個数が前記最大個数となり、その後、前記指令ステップの処理により前記第２の指令が発行された場合、前記第１の大単位についての終了処理を実行し、その状態を記録状態から一時停止状態に遷移させ、その後、前記指令ステップの処理により前記第１の指令が発行された場合、その状態を前記一時停止状態から前記記録状態に再び遷移させ、新たな第２の大単位の１番目の前記小単位に含めるデータを前記所定のメディアに記録させることを開始する制御を行う記録制御ステップと
を含むことを特徴とする情報処理方法。
【請求項４】
大単位に含ませることが可能な小単位の最大個数が少なくとも規定されている所定のフォーマットに従って、所定のメディアにデータを前記大単位かつ前記小単位毎に記録する記録装置を制御するコンピュータに実行させるプログラムであって、
次の前記小単位に含めるデータの記録を開始させる第１の指令、および、その記録を終了させる第２の指令を発行する指令ステップと、
前記指令ステップの処理による前記第２の指令のこれまでの発行回数に基づいて、前記所定のメディアへの記録対象である前記大単位にその時点で含まれている前記小単位の個数を管理する管理ステップと、
第１の大単位に含めるデータを前記所定のメディアに記録させている最中に、前記管理ステップの処理により管理されている前記小単位の個数が前記最大個数となり、その後、前記指令ステップの処理により前記第２の指令が発行された場合、前記第１の大単位についての終了処理を実行し、その状態を記録状態から一時停止状態に遷移させ、その後、前記指令ステップの処理により前記第１の指令が発行された場合、その状態を前記一時停止状態から前記記録状態に再び遷移させ、新たな第２の大単位の１番目の前記小単位に含めるデータを前記所定のメディアに記録させることを開始する制御を行う記録制御ステップと
を含むことを特徴とするプログラム。
【発明の詳細な説明】
【技術分野】
【０００１】
本発明は、情報処理装置および方法並びにプログラムに関し、特に、フォーマットの制限によらず、記録操作に対するユーザの使い勝手を向上させることができる情報処理装置および方法並びにプログラムに関する。
【背景技術】
【０００２】
近年、記録装置が様々な分野に採用されるようになっている。
【０００３】
例えば、映画等のコンテンツを配信する分野などでは、そのコンテンツを所定のメディアに記録する記録装置（例えば特許文献１参照）が採用されている。具体的には例えばDVD（Digital Versatile Disk）にコンテンツを記録する記録装置が採用されている。このような記録装置は、コンテンツを構成する１つのストリームデータ全体を、１つのタイトルとして記録している。
【０００４】
さらに、このようなタイトルは複数のチャプタに分割可能であり、ユーザが所望するチャプタの先頭からの再生が自在に可能となっている
【０００５】
また例えば、医療の分野などでは、超音波診断装置により撮影された患者の体内の映像等を所定のメディアに記録する記録装置が採用されている。記録対象のメディアがDVDである場合、この医療の分野で採用されている記録装置は、例えば記録の開始指示から終了指示までに超音波診断装置により撮影された患者の体内の映像を、１つのタイトルとして記録することがある。また、この医療の分野で採用されている記録装置は、１つのタイトルの記録中、例えば記録の一時停止指示がある毎に、その時点をインデックスとして登録していき、２つのインデックスで区切られた区間をチャプタとして生成していくこともある。
【特許文献１】特開２００５−３０９２５号公報
【発明の開示】
【発明が解決しようとする課題】
【０００６】
しかしながら、従来のテープメディアではテープの容量以外に記録に対する制限が無かったものが、DVDでは、そのフォーマットによりチャプタ数等の制限が存在する。この制限のため、DVDは、従来のテープメディアに比較して、ユーザの使い勝手が悪い、という問題点があった。具体的には例えば、上述した医療の分野で採用されている記録装置においては、１つのタイトルの記録中における一時停止指示の回数が、DVDフォーマットで規定されているチャプタ数（１つのタイトルに含めることが可能な最大個数であって、具体的には例えば９９個）を上回ると、そのタイトルの記録処理自体が完全に終了してしまう。即ち、記録装置の状態が記録状態から記録停止状態に遷移してしまう。従って、ユーザは、記録開始指示を再度行わなければ（例えば記録ボタンと再生ボタンの同時押下操作を再度行わなければ）、記録を再開できない（記録装置の状態を記録状態に戻すことができない）、という問題点が発生してしまう。
【０００７】
この問題点は、DVDフォーマットによらず、大単位（DVDフォーマットにおけるタイトルに相当）に含ませることが可能な小単位（DVDフォーマットにおけるチャプタに相当）の最大個数が少なくとも規定されているフォーマット全体に発生する問題点である。
【０００８】
本発明は、このような状況に鑑みてなされたものであり、このようなフォーマットの制限によらず、記録操作に対するユーザの使い勝手を向上させるようにするものである。
【課題を解決するための手段】
【０００９】
本発明の情報処理装置は、大単位に含ませることが可能な小単位の最大個数が少なくとも規定されている所定のフォーマットに従って、所定のメディアにデータを大単位かつ小単位毎に記録する情報処理装置であって、次の小単位に含めるデータの記録を開始させる第１の指令、および、その記録を終了させる第２の指令を発行する指令手段と、指令手段による第２の指令のこれまでの発行回数に基づいて、所定のメディアへの記録対象である大単位にその時点で含まれている小単位の個数を管理する管理手段と、第１の大単位に含めるデータを所定のメディアに記録させている最中に、管理手段により管理されている小単位の個数が最大個数となり、その後、指令手段から第２の指令が発行された場合、第１の大単位についての終了処理を実行し、その状態を記録状態から一時停止状態に遷移させ、その後、指令手段から第１の指令が発行された場合、その状態を一時停止状態から記録状態に再び遷移させ、新たな第２の大単位の１番目の小単位に含めるデータを所定のメディアに記録させることを開始する制御を行う記録制御手段とを備えることを特徴とする。
【００１０】
所定のメディアはDVD（Digital Versatile Disk）であり、所定のフォーマットは、大単位としてタイトルが規定され、かつ、小単位としてチャプタが規定されているDVDフォーマットであり、第２の指令は、ユーザによる記録の一時停止の操作に基づく指令であり、第１の指令は、ユーザによる記録の一時停止解除の操作に基づく指令であるようにすることができる。
【００１１】
本発明の情報処理方法は、大単位に含ませることが可能な小単位の最大個数が少なくとも規定されている所定のフォーマットに従って、所定のメディアにデータを大単位かつ小単位毎に記録する情報処理装置の情報処理方法であって、小単位に対応するデータの記録を開始させる第１の指令、および、小単位に対応するデータの記録を終了させる第２の指令を発行する指令ステップと、指令ステップの処理による第２の指令のこれまでの発行回数に基づいて、所定のメディアへの記録対象である大単位にその時点で含まれている小単位の個数を管理する管理ステップと、第１の大単位に含めるデータを所定のメディアに記録させている最中に、管理ステップの処理により管理されている小単位の個数が最大個数となり、その後、指令ステップの処理により第２の指令が発行された場合、第１の大単位についての終了処理を実行し、その状態を記録状態から一時停止状態に遷移させ、その後、指令ステップの処理により第１の指令が発行された場合、その状態を一時停止状態から記録状態に再び遷移させ、新たな第２の大単位の１番目の小単位に含めるデータを所定のメディアに記録させることを開始する制御を行う記録制御ステップとを含むことを特徴とする。
【００１２】
本発明のプログラムは、上述した本発明の情報処理方法に対応するプログラムであることを特徴とする。
【００１３】
本発明の情報処理装置および方法、並びに、プログラムにおいては、大単位に含ませることが可能な小単位の最大個数が少なくとも規定されている所定のフォーマットに従って、所定のメディアにデータが大単位かつ小単位毎に記録される。詳細には、小単位に対応するデータの記録を開始させる第１の指令、および、小単位に対応するデータの記録を終了させる第２の指令が必要に応じて発行され、第２の指令のこれまでの発行回数に基づいて、所定のメディアへの記録対象である大単位にその時点で含まれている小単位の個数が管理されている状態で、第１の大単位に含めるデータが所定のメディアに記録されている最中に、その時点で管理されている小単位の個数が最大個数となり、その後、第２の指令が発行された場合、第１の大単位についての終了処理が実行され、情報処理装置（または記録装置）の状態が記録状態から一時停止状態に遷移され、その後、第１の指令が発行された場合、情報処理装置（または記録装置）の状態が一時停止状態から記録状態に再び遷移され、新たな第２の大単位の１番目の小単位に含めるデータが所定のメディアに記録される処理が開始される。
【００１４】
メディアは、情報処理装置に内蔵されたメディアであってもよいし、リムーバブルなメディアであってもよい。
【発明の効果】
【００１５】
以上のごとく、本発明によれば、大単位に含ませることが可能な小単位の最大個数が少なくとも規定されている所定のフォーマットに従って、所定のメディアにデータを記録させることができる。特に、そのフォーマットの制限によらず、記録操作（第１の指令や第２の指令に対応する操作等）に対するユーザの使い勝手を向上させることができる。
【発明を実施するための最良の形態】
【００１６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
本発明によれば、情報処理装置が提供される。この情報処理装置（例えば図１のハードウエア構成を有し、図５の機能的構成を有する記録再生装置）は、
大単位（例えばDVDフォーマットではタイトル）に含ませることが可能な小単位（例えばDVDフォーマットではチャプタ）の最大個数（例えばDVDフォーマットでは９９個）が少なくとも規定されている所定のフォーマットに従って、所定のメディア（例えば図１や図５のDVD３１）にデータを前記大単位かつ前記小単位毎に記録する情報処理装置において、
次の前記小単位に含めるデータの記録を開始させる第１の指令（例えば後述する一時停止解除指令であって、図４の一時停止ボタン解除に基づく指令）、および、その記録を終了させる第２の指令（例えば後述する一時停止指令であって、図４の一時停止ボタン押下に基づく指令）を発行する指令手段（例えば図５の一時停止制御部５２。操作内容検出部５１を含めてもよい）と、
前記指令手段による前記第２の指令のこれまでの発行回数（例えば図５の一時停止回数算出部５３による後述するカウント値）に基づいて、前記所定のメディアへの記録対象である前記大単位にその時点で含まれている前記小単位の個数を管理する管理手段（例えば、図５のチャプタ/タイトル管理部５４）と、
第１の大単位（例えば図４のタイトル１）に含めるデータを前記所定のメディアに記録させている最中に、前記管理手段により管理されている前記小単位の個数が前記最大個数となり（例えば、図４のchap９９に含めるデータを記録するようになり）、その後、前記指令手段から前記第２の指令が発行された場合（例えば図４の一時停止ボタン押下の位置参照）、前記第１の大単位についての終了処理（例えば図４で言うタイトル１生成を伴う処理）を実行し、その状態を記録状態から一時停止状態に遷移させ、その後、前記指令手段から前記第１の指令が発行された場合（例えば図４の一時停止ボタン解除の位置参照）、その状態を前記一時停止状態から前記記録状態に再び遷移させ、新たな第２の大単位（例えば図４のタイトル２）の１番目の前記小単位（例えば図４のtitle2-chap1）に含めるデータを前記所定のメディアに記録させることを開始する制御を行う記録制御手段（例えば図５の記録制御部５５）と
を備えることを特徴とする。
【００１９】
本発明によれば、情報処理方法が提供される。この情報処理方法（例えば、図６のDVD記録処理に対応する方法）は、
大単位（例えばDVDフォーマットではタイトル）に含ませることが可能な小単位（例えばDVDフォーマットではチャプタ）の最大個数（例えばDVDフォーマットでは９９個）が少なくとも規定されている所定のフォーマットに従って、所定のメディア（例えば図１や図５のDVD３１）にデータを前記大単位かつ前記小単位毎に記録する情報処理装置（例えば図１のハードウエア構成を有し、図５の機能的構成を有する記録再生装置）の情報処理方法において、
次の前記小単位に含めるデータの記録を開始させる第１の指令、および、その記録を終了させる第２の指令を発行する指令ステップ（例えば、図６のステップＳ７，Ｓ１０，Ｓ１３）と、
前記指令ステップの処理による前記第２の指令のこれまでの発行回数に基づいて、前記所定のメディアへの記録対象である前記大単位にその時点で含まれている前記小単位の個数を管理する管理ステップ（例えば、図６のステップＳ３，Ｓ８）と、
第１の大単位に含めるデータを前記所定のメディアに記録させている最中に、前記管理ステップの処理により管理されている前記小単位の個数が前記最大個数となり、その後、前記指令ステップの処理により前記第２の指令が発行された場合（例えば、チャプタ番号Ｊ＝９９についての図６のステップＳ７の処理でＹＥＳであると判定され、ステップＳ８の処理でＪ＝１００が設定され、ステップＳ９の処理でＹＥＳと判定された場合）、前記第１の大単位についての終了処理を実行し、その状態を記録状態から一時停止状態に遷移させ（例えば図６のステップＳ１１の処理を実行し）、その後、前記指令ステップの処理により前記第１の指令が発行された場合（例えば、図６のステップＳ１２の処理後、ステップＳ１３の処理でＹＥＳであると判定された場合）、その状態を前記一時停止状態から前記記録状態に再び遷移させ、新たな第２の大単位の１番目の前記小単位に含めるデータを前記所定のメディアに記録させることを開始する（次のタイトルについての図６のステップＳ３以降の処理を実行する）制御を行う記録制御ステップ（例えば、記録制御ステップで括弧書きで説明した図６の各ステップ、即ち、ステップＳ１１乃至Ｓ１３等）と
を含むことを特徴とする。
【００２０】
本発明によれば、プログラムが提供される。このプログラムは、上述した本発明の情報処理方法に対応するプログラムであって、例えば、図１のCPU１を有するコンピュータにより実行される。
【００２１】
以下、図面を参照して、本発明の実施の形態について説明する。
【００２２】
図１は、本発明を適用した情報処理装置としての記録再生装置のハードウエア構成例を示す図である。
【００２３】
図１の例の記録再生装置において、CPU（Central Processing Unit）１は、FLASHメモリ２からSDRAM(Synchronous Dynamic Random Access Memory)３にロードされた各種プログラムに従った各種処理を実行する。これにより、記録再生装置全体の動作が制御されることになる。SDRAM３にはまた、CPU１が各種の処理を実行する上において必要なデータなども適宜記憶される。
【００２４】
CPU１にはまた、制御信号入出力制御部４が接続されている。制御信号入出力制御部４は、例えばマイクロコンピュータとして構成され、CPU１の他、操作部５、232C用インタフェース部６、USB用インタフェース部７、および表示部８等の各ブロック間での各種制御信号の授受を制御する。
【００２５】
操作部５は、キー群、電源スイッチ、フットスイッチ等の各種入力機器で構成される。即ち、ユーザは、操作部５を操作することで、各種指令や各種情報を、この記録再生装置に入力させることができる。換言すると、操作部５は、ユーザの操作内容に対応する制御信号を、制御信号入出力制御部４を介してCPU１等に供給することができる。
【００２６】
具体的には例えば本実施の形態では、操作部５には、DVD３１に対する記録や再生の指示をユーザが行うためのボタンとして、次のようなボタンが少なくとも設けられている。即ち、再生開始を指示するための「再生ボタン」、記録開始を指示するための「記録ボタン」（ただし、記録開始を実際に指示するためには、「再生ボタン」と「記録ボタン」の同時押下操作が必要であるとする）、再生または記録の一時停止を指示する「一時停止ボタン」、および、再生または記録の停止を指示する「停止ボタン」が、操作部５に少なくとも設けられている。なお、「少なくとも」と記述したのは、その他、早送り、巻き戻し、変速（高速や低速）再生等様々な指示をユーザが行うことが可能なボタンが、操作部５にさらに設けられることが多々あるからである。
【００２７】
232C用インタフェース部６には、専用のRS-232Cケーブルを介して例えば外部装置４１が接続される。即ち、232C用インタフェース部６は、外部装置４１とCPU1等との間でRS-232Cの規格に従って送受信される各種情報（制御信号）の中継を行う。USB(Universal Serial Bus)用インタフェース部７には、専用のUSBケーブルを介して例えば外部装置４１が接続される。即ち、USB用インタフェース部７は、外部装置４１とCPU１等との間でUSBの規格に従って送受信される各種情報（制御信号）の中継を行う。
【００２８】
即ち、図１の例では、外部装置４１は、232C用インタフェース部６、USB用インタフェース部７、または後述するi.LINK用インタフェース部２１を介して図１の記録再生装置と通信を行うことができる。具体的には例えば、外部装置４１は、所定のコマンド等の制御信号を図１の記録再生装置に送信することで、図１の記録再生装置の各種動作を制御することができる。なお、外部装置４１から図１の記録再生装置に供給されるコマンドの具体例については、図３を参照して後述する。
【００２９】
表示部８は、例えばフロントパネルディスプレイとして構成され、この記録再生装置に関する各種情報、即ち、CPU１等から制御信号入出力制御部４を介して供給される各種制御信号に対応する各種情報を表示する。
【００３０】
ところで、CPU１、FLASHメモリ２、およびSDRAM３は、バス９を介して相互に接続されている。このバス９にはまた、エンコーダ/デコーダ１０および読み書き制御部１１が接続されている。
【００３１】
エンコーダ/デコーダ１０は、CPU１の制御に基づいて、後述する切替部２２から供給されるデジタルの映像信号Vと、後述する切替部２３から供給されるデジタルの音声信号Aとを、例えばMPEG（Moving Picture Experts Group）方式でエンコード（圧縮符号化）した上で、読み書き制御部１１に供給する。なお、以下、エンコーダ/デコーダ５３から出力されるエンコード済みの映像データや音声データをまとめて、圧縮コンテンツデータと称する。
【００３２】
エンコーダ/デコーダ１０はまた、CPU１の制御に基づいて、後述する読み書き制御部１１から供給される圧縮コンテンツデータを、例えばMPEG方式でデコード（伸張復号）し、その結果得られる信号のうちの、デジタルの映像信号VをD/A変換部１９に供給し、デジタルの音声信号AをD/A変換部２０に供給する。
【００３３】
エンコーダ/デコーダ１０には、SDRAM１４が接続されている。SDRAM１４は、エンコーダ/デコーダ１０が上述した処理等を実行する上において必要なデータなどを適宜記憶する。
【００３４】
読み書き制御部１１は、CPU１の制御に基づいて、HDD１２またはドライブ１３に装着されたDVD（Digital Versatile Disk）３１に対する各種データの読み書きを制御する。
【００３５】
例えば、本実施の形態では、エンコーダ/デコーダ１０から圧縮コンテンツデータが供給されてきた場合、読み書き制御部１１は、最初に、その圧縮コンテンツデータを記録用データとしてHDD１２に記録する（書き込む）ことを制御する。次に、読み書き制御部１１は、HDD１２に記録された記録用データを読み出して、ドライブ１３に装着されたDVD３１に記録する（書き込む）ことを制御する。
【００３６】
なお、本実施の形態では、ATA（AT Attachment）規格が採用されているため、記録用データは、HDD１２に記録された後にDVD３１に記録される。ただし、ATA規格以外の所定の規格を採用することで、記録用データを、HDD１２とDVD３１とに並列的に（それぞれ独立してほぼ同一タイミングで）記録させることも当然ながら可能である。
【００３７】
また、例えば、読み書き制御部１１は、HDD１２またはドライブ１３に装着されたDVD３１に記録されたデータ（圧縮コンテンツデータや各種管理情報等）を読み出す制御を行い、必要に応じて、読み出したデータをエンコーダ/デコーダ１０等の他のブロックに供給する。
【００３８】
読み書き制御部１１には、SDRAM１５が接続されている。SDRAM１５は、読み書き制御部１１が上述した処理等を実行する上において必要なデータなどを適宜記憶する。
【００３９】
AV信号用インタフェース部１６には、各種ケーブルを介して外部装置４１や図示せぬ外部装置が接続される。例えば外部装置４１から供給されたアナログの映像信号V（具体的には例えば上述した患者の体内の映像に対応する映像信号V等）は、AV信号用インタフェース部１６を介してA/D変換部１７に供給される。また、外部装置４１から供給されたアナログの音声信号Aは、AV信号用インタフェース部１６を介してA/D変換部１８に供給される。一方、エンコーダ/デコーダ１０からD/A変換部１９を介して供給されてきたアナログの映像信号V、および、エンコーダ/デコーダ１０からD/A変換部２０を介して供給されてきたアナログの音声信号Aのそれぞれは、AV信号用インタフェース部１６を介して図示せぬ外部装置（具体的に例えばモニタ等）に供給される。
【００４０】
i.LINK用インタフェース部２１には、専用のi.Linkケーブルを介して例えば外部装置４１が接続される。i.LINKとは、本出願人であるソニー株式会社の商標であり、IEEE（Institute of Electrical and Electronics Engineers）1394の高速デジタルシリアルインターフェースである。従って、i.LINK用インタフェース部２１は、外部装置４１とCPU１との間や、外部装置４１とエンコーダ/デコーダ１０との間等で、IEEE1394の規格に従って送受信される各種情報（映像信号、音声信号、制御信号等）の中継を行う。即ち、i.LINK用インタフェース部２１は、外部装置４１から制御信号（コマンド等）が供給されてきた場合、その制御信号をCPU１に供給する。一方、i.LINK用インタフェース部２１は、外部装置４１から映像信号Vが供給されてきた場合、その映像信号Vを適切な形態の信号（本実施の形態では、A/D変換部１７から出力されるデジタルの映像信号Vと同様の形態の信号）に変換した上で切替部２２に供給する。また、i.LINK用インタフェース部２１は、外部装置４１から音声信号Aが供給されてきた場合、その音声信号Aを適切な形態の信号（本実施の形態では、A/D変換部１８から出力されるデジタルの音声信号Aと同様の形態の信号）に変換した上で切替部２３に供給する。
【００４１】
切替部２２は、その入力端を切り替え、切り替えた入力端に入力されるデジタルの映像信号Vをエンコーダ/デコーダ１０に供給する。即ち、切替部２２は、i.LINK用インタフェース部２１からのデジタルの映像信号Vを入力する入力端と、A/D変換部１７からのデジタルの映像信号Vを入力する入力端とのうちの何れか一方を選択し、選択した方の入力端に入力されるデジタルの映像信号Vをエンコーダ/デコーダ１０に供給する。
【００４２】
切替部２３は、その入力端を切り替え、切り替えた入力端に入力されるデジタルの音声信号Aをエンコーダ/デコーダ１０に供給する。即ち、切替部２３は、i.LINK用インタフェース部２１からのデジタルの音声信号Aを入力する入力端と、A/D変換部１８からのデジタルの音声信号Aを入力する入力端とのうちの何れか一方を選択し、選択した方の入力端に入力されるデジタルの音声信号Aをエンコーダ/デコーダ１０に供給する。
【００４３】
電源部２４は、この図１の記録再生装置を構成する上述した各ブロックに、必要な電源を供給する。なお、図１では、電源部２４が記録再生装置を構成する各ブロックのそれぞれに電源を供給することを表す各種線は、図が煩雑になるため、まとめて１つの白抜き矢印として図示されている。
【００４４】
なお、図示はしないが、ドライブ１３は、DVD３１に加えてさらに、磁気ディスク、光ディスク、光磁気ディスク、或いは半導体メモリなどのリムーバブル記録媒体が適宜装着されるように構成することも可能である。この場合、このリムーバブル記録媒体が読み書き制御部１１の制御対象になる。即ち、このリムーバブル記録媒体に上述した記録用データ等が記録される。また、このリムーバブル記録媒体にコンピュータプログラムが記録されている場合、このリムーバブル記録媒体からドライブ１３を介して読み出されたコンピュータプログラムが、必要に応じてHDD１２等のメモリにインストールされる。
【００４５】
換言すると、記録用データが読み書きされるメディア、即ち、読み書き制御部１１の制御対象のメディアの種類は、図１の例ではHDD１２とDVD１３とされたが、図１の例に特に限定されず任意の種類のメディアでよい。
【００４６】
また、記録再生装置のハードウエア構成自体も、図１の例に限定されず、後述する図３の機能的構成を少なくとも有していれば任意のハードウエア構成でよい。
【００４７】
また、図１の例では、記録再生装置には、１台の外部装置４１（具体的には例えば上述した超音波診断装置）が接続されているが、その接続台数は１台に限定されず、複数台でもよい。
【００４８】
ところで、図１の例の記録再生装置は、記録用データ（エンコーダ/デコーダ１０からの圧縮コンテンツデータ）をDVD３１に記録させる制御を行う場合、タイトルを大単位として、かつ、チャプタを小単位として、その記録用データをDVD３１に記録させる制御を行う。
【００４９】
タイトルとは、本実施の形態では、記録の開始が指示されてから、記録の終了が指示されるまの区間を言う。本実施の形態ではDVDのフォーマットに従って、１枚のDVD３１には最大４９個のタイトルが記録可能とされている。
【００５０】
また、チャプタとは、２つのインデックスで区切られた区間を言う。即ち、本実施の形態では、ユーザは、外部装置４１または操作部５の操作等を行うことで、連続して記録される記録用データ（ストリーム）中の所望の箇所（例えば、所望の画像に対応する箇所等）に目印となるインデックスをつけることができる。また、ユーザは、所定の登録操作を行うことで、記録再生装置にインデックスを自動的につけさせていく（例えば所定の時間間隔毎にインデックスをつけさせていく）ことができる。そして、ユーザは、操作部５の操作等を行うことで、インデックスが付けられた箇所から瞬時に再生させたり、インデックス間（チャプタ）を繰り返して再生させることが容易に可能となる。本実施の形態ではDVDのフォーマットに従って、１枚のDVD３１には最大２５４個のインデックスを付与することが可能とされており、また、１つのタイトルには最大９９個のインデックスを付与することが可能とされている。
【００５１】
なお、以下の説明においては、所定のタイトルについてのデータ記録中に上述した「一時停止ボタン」の押下操作（以下、このような操作を、一時停止ボタン押下と称する）がなされた場合には、記録再生装置の状態が記録状態から一時停止状態に遷移するとともに、一時停止状態となった時点の記録位置にインデックスがつけられるとする。そして、「一時停止ボタン」の押下状態を解除する操作（以下、このような操作を、一時停止ボタン解除と称する）がなされると、記録再生装置の状態が一時停止状態から記録状態に再度遷移する、即ち、記録再生装置の記録処理が再開されるとする。即ち、以下においては、２回の一時停止ボタン押下の間の区間、より正確には、最初（１回目）の一時停止ボタン押下により記録再生装置の状態が記録状態から一時停止状態に遷移した時点の記録位置から、次（２回目）の一時停止ボタン押下により記録再生装置の状態が記録状態から一時停止状態に遷移した時点の記録位置までの間の区間が、１つのチャプタとして形成されることになる。
【００５２】
具体的には例えば図２に示されるように、タイトル１のチャプタ９７（chap97）についてのデータ記録中に一時停止ボタン押下がなされ、さらにその後、一時停止ボタン解除がなされると、その時点から、チャプタ９８（chap98）についてのデータ記録が開始される。そして、次の一時停止ボタン押下がなされると、記録再生装置の状態が記録状態から一時停止状態に遷移していき、チャプタタ９８についてのデータ記録が終了する。即ち、この間の区間がチャプタ９８になる。さらに次の一時停止ボタン解除がなされると、その時点から、今度はチャプタ９９（chap99）についてのデータ記録が開始される。
【００５３】
この場合、上述したように、本実施の形態では(DVDフォーマットでは)、１つのタイトルには最大９９個までのチャプタしか含めることができないので、次の一時停止ボタン押下がなされると、タイトル１についての記録が終了する。即ち、タイトル１についての記録の終了処理が実行されて、タイトル１が生成される。
【００５４】
このようにしてタイトル１が生成されると、従来においては、図３に示されるように、従来の記録再生装置の状態が記録状態から記録停止状態に遷移してしまうことになる。即ち、本実施の形態の操作に対応させると、「記録ボタン」と「再生ボタン」の同時押下操作（以下、記録＋再生ボタン押下と称する）による記録の指示が解除されてしまうことになる。
【００５５】
従って、従来においては、図３に示されるように、ユーザは、            記録＋再生ボタン押下を改めて行わなければ（記録指示を再度行わなければ）、従来の記録再生装置の状態を記録状態に戻すことができない（データの記録を再開できない）、といった上述した問題点が発生する。即ち、記録＋再生ボタン押下が改めて行われてはじめて、タイトル２のチャプタ１（title2-chap1）についての記録が開始されるのである。
【００５６】
そこで、本実施の形態の図１の記録再生装置は、図４に示されるような処理を実行することで、このような従来の問題点を解決するようにしている。即ち、図３は、従来の問題点を有する従来の記録手法を説明する図であったのに対して、図４は、従来の問題点を解決可能な本発明を適用した記録手法を説明する図である。
【００５７】
即ち、タイトル１が生成されるまでの一連の処理は従来と同様の処理（図２や図３を参照して説明した処理）となるが、それ以降の本実施の形態の処理（図４の処理）は、従来の処理（図３の処理）とは異なる。詳細には、タイトル１が生成されると、本実施の形態の図１の記録再生装置の状態は、記録状態から記録停止状態へ遷移することが禁止され、その代わりに、記録状態から一時停止状態に推移する。そして、次の一時停止ボタン解除がなされると、本実施の形態の図１の記録再生装置の状態は一時停止状態から記録状態へ遷移して、その結果、タイトル２のチャプタ１（title2-chap1）についての記録が開始される。
【００５８】
ユーザ操作の観点から換言すると、ユーザは、タイトル１のチャプタ９９についてのデータ記録中に一時停止ボタン押下を行うと、図３の従来の記録手法が適用された従来の記録再生装置のデータの記録処理は完全に終了してしまい、その後、一時停止ボタン解除を行っても、データの記録処理は行われないことになる。このとき、データの記録処理が完全に終了してしまったことがユーザに呈示されない場合、或いは、たとえそのことが呈示されたとしてもユーザが気づかなかったような場合、ユーザは、データの記録処理が続行されていると誤認識してしまい（データの記録処理が終了していることを気づかずに）、その後も一時停止ボタン押下を繰り返していくこともある。その結果、その後のデータの記録は一切行われない、即ち、ユーザが記録できたと思い込んでいるデータが実際にはDVD３１に一切記録されていない、という問題点も発生してしまう。
【００５９】
これに対して、本実施の形態では、本発明を適用した図４の記録手法が図１の記録再生装置に適用されているので、ユーザは、タイトル１のチャプタ９９についてのデータ記録中に一時停止ボタン押下を行っても、図１の記録再生装置のデータの記録処理は終了せずに、単に一時停止になるだけである。換言すると、図１の記録再生装置の状態は、記録状態から記録停止状態に遷移することが禁止されて、その代わりに、単に一時停止状態に遷移されるだけである。即ち、ユーザにとっては、タイトル１のチャプタ９９についてのデータ記録中に一時停止ボタン押下を行っても、それ以外のチャプタ１乃至９８についてのデータ記録中に一時停止ボタン押下を行っても、同様の結果となる。従って、ユーザにとっては、現在のチャプタがチャプタ９９であるのかそれ以外であるのかを全く気にすることなく、一時停止ボタン押下を行った後に一時停止ボタン解除を行うだけで、データの記録処理を再開させることが可能になる。
【００６０】
以上説明したように、図４の記録手法を適用することで、上述した問題点を解決すること、即ち、DVD３１への記録操作に対するユーザの使い勝手を向上させることが可能になる。
【００６１】
このような図４の記録手法を適用するためには、図１の記録再生装置は、例えば図５に示される機能的構成を有すればよい。即ち、図５は、図１の記録再生装置が有する機能のうちの、図４の記録手法に従ってDVD３１にデータを記録するための機能を実現するための機能的構成例を表している。
【００６２】
なお、本実施の形態では、操作内容検出部５１乃至記録制御部５５といった各機能ブロックは、図１のCPU１により実行されるアプリケーションソフトウエアとして構成されている。ただし、各機能ブロックのそれぞれは、アプリケーションソフトウエアと、図１の各ハードウエアブロックうちの所定の１以上のブロックとの組み合わせで構成することも可能である（或いは、そのように捉えることも可能である）。また、記録再生装置のハードウエア構成自体を図１の構成とは異ならせることで、操作内容検出部５１乃至記録制御部５５といった各機能ブロックを、ハードウエア単体として構成することもできる。
【００６３】
また、図４の記録手法に対応する機能を実現するためには、操作内容検出部５１乃至記録制御部５５の各機能を総合的に備えていれば足り、総合的な機能の分割数、即ち、機能ブロックの個数は、図５の例に特に限定されない。即ち、操作内容検出部５１乃至記録制御部５５といった各機能ブロックを、さらに細かい機能ブロックに分割してもよいし、或いは、２以上の機能ブロックを１つにまとめてもよい。
【００６４】
図５の記録再生装置において、操作内容検出部５１は、ユーザの操作部５の操作内容を検出する。なお、操作内容検出部５１の検出対象は、実際には、ユーザの操作部５の操作内容の全てとなるが、ここでは、そのうちの、記録＋再生ボタン押下（DVD３１への記録開始指示操作）、停止ボタン押下（DVD３１への記録終了指示操作）、一時停止ボタン押下（DVD３１への記録の一時停止指示操作）、および、一時停止ボタン解除（DVD３１への記録の一時停止解除指示操作）のみ言及する。
【００６５】
即ち、図５の例では、操作内容検出部５１は、記録＋再生ボタン押下または停止ボタン押下を検出すると、その検出結果を記録制御部５５とチャプタ/タイトル管理部５４とに通知する。また、操作内容検出部５１は、一時停止ボタン押下または一時停止ボタン解除を検出すると、その検出結果を一時停止制御部５２に通知する。
【００６６】
一時停止制御部５２は、操作内容検出部５１から一時停止ボタン押下が通知された場合、この記録再生装置の状態を記録状態から一時停止状態へ遷移させる指令（以下、一時停止指令と称する）を、一時停止回数算出部５３と記録制御部５５に発行する。また、一時停止制御部５２は、操作内容検出部５１から一時停止ボタン解除が通知された場合、この記録再生装置の状態を一時停止状態から記録状態へ遷移させる指令（以下、一時停止解除指令と称する）を、記録制御部５５に発行する。
【００６７】
一時停止回数算出部５３は、一時停止制御部５２から発行される一時停止指令の回数をカウントし、そのカウント値をチャプタ/タイトル管理部５４に供給する。ただし、一時停止回数算出部５３は、チャプタ/タイトル管理部５４から所定のチャプタが新たに生成されたこと（所定のチャプタの終了処理がなされたこと）が通知されたとき、そのカウント値を０にリセットする。
【００６８】
チャプタ/タイトル管理部５４は、記録制御部５５の現在の記録制御対象のデータ、即ち、DVD３１に現在記録されているデータが含まれるチャプタとタイトルとを認識して管理し、その管理結果を、記録制御部５５に通知するとともに、必要に応じて一時停止回数算出部５３にも通知する。
【００６９】
記録制御部５５は、操作内容検出部５１の検出結果、一時停止制御部５２から発行される指令、および、チャプタ/タイトル管理部５４の管理結果に基づいて、記録用データ（図１のエンコーダ/デコーダ１０から供給される圧縮コンテンツデータ等）をDVD３１に記録させることを制御する。即ち、記録制御部５５は、図２と図４を用いて説明した処理を実行する。なお、記録制御部５５の処理（制御内容）の詳細については、図６のフローチャートを参照して後述する。
【００７０】
次に、図６のフローチャートを参照して、図５の機能的構成を有する記録再生装置のDVD３１に対する記録処理（以下、DVD記録処理と称する）の一例について説明する。即ち、図６は、本発明が適用されるDVD記録処理の一例、換言すると、上述した図４の本発明の記録手法が適用されDVD記録処理の一例を説明するフローチャートである。
【００７１】
ステップＳ１において、操作内容検出部５１は、DVD３１への記録開始指示操作（記録＋再生ボタン押下）がなされたか否かを判定する。
【００７２】
ユーザが記録＋再生ボタン押下を行うまでの間、ステップＳ１において、DVD３１への記録開始指示操作がなされていないと判定されて、処理はステップＳ１に戻され、DVD３１への記録開始指示操作がなされたか否かが再度判定される、といったループ処理が繰り返される。
【００７３】
その後、ユーザが記録＋再生ボタン押下を行うと、ステップＳ１において、DVD３１への記録開始指示操作がなされたと判定される。そして、その判定結果が、操作内容検出部５１からチャプタ/タイトル管理部５４と記録制御部５５とに供給されると、処理はステップＳ２に進む。
【００７４】
ステップＳ２において、チャプタ/タイトル管理部５４は、タイトル番号Ｉ＝１を設定し、その設定結果を記録制御部５５と一時停止回数算出部５３に通知する。これにより、一時停止回数算出部５３は、そのカウント値を０リセットする。
【００７５】
なお、タイトル１乃至Ｋ（Ｋは１以上の任意の整数値）がDVD３１に既に記録されている場合には、このステップＳ２において、タイトル番号Ｉ＝Ｋ＋１が設定される。
【００７６】
ステップＳ３において、チャプタ/タイトル管理部５４は、チャプタ番号Ｊ＝１を設定して、その設定結果を記録制御部５５に通知する。
【００７７】
ステップＳ４において、記録制御部５５は、その時点で供給されてきた記録用データを、タイトルＩのチャプタＪに対応するデータとしてDVD３１に記録させる。
【００７８】
ステップＳ５において、記録制御部５５は、操作内容検出部５１の検出結果に基づいて、DVD３１への記録終了指示操作（停止ボタン押下）がなされたか否かを判定する。
【００７９】
ユーザが停止ボタン押下を行い、そのことが操作内容検出部５１により検出されて記録制御部５５に通知されると、ステップＳ５において、DVD３１への記録終了指示操作がなされたと判定されて、処理はステップＳ６に進む。
【００８０】
ステップＳ６において、記録制御部５５は、タイトルＩの生成（タイトルＩの終了処理）を行う。これにより、このDVD記録処理は終了となる。
【００８１】
これに対して、ユーザが停止ボタン押下を行わない限り、ステップＳ５において、DVD３１への記録終了指示操作がなされていないと常に判定されて、処理はステップＳ７に進む。
【００８２】
ステップＳ７において、記録制御部５５は、一時停止制御部５２からの一時停止指令の発行有無に基づいて、一時停止ボタン押下がなされたか否かを判定する。
【００８３】
ユーザが一時停止ボタン押下を行わない限り、一時停止指令が一時停止制御部５２から発行されないので、ステップＳ７において、一時停止ボタン押下がなされていないと常に判定され、処理はステップＳ４に戻され、それ以降の処理が繰り返される。即ち、一時停止ボタン押下が行われない限り、タイトルＩのチャプタJに対応するデータのDVD３１への記録は続行される。
【００８４】
その後、ユーザが一時停止ボタン押下を行い、そのことが操作内容検出部５１により検出されて一時停止制御部５２に通知され、その結果、一時停止制御部５２から記録制御部５５に対して一時停止指令が発行されると、ステップＳ７において、一時停止ボタン押下がなされたと判定されて、処理はステップＳ８に進む。
【００８５】
即ち、この間、一時停止指令は一時停止回数算出部５３にも通知され、タイトルＩについての一時停止回数の総数（カウント値）が一時停止回数算出部５３からチャプタ/タイトル管理部５４にも供給される。そこで、ステップＳ８において、チャプタ/タイトル管理部５４は、このカウント値に基づいて、チャプタ番号Ｊを１だけインクリメントする（Ｊ＝Ｊ＋１）。１だけインクリメントされたチャプタ番号Ｊが、チャプタ/タイトル管理部５４から記録制御部５５に通知されると、処理はステップＳ９に進む。
【００８６】
ステップＳ９において、記録制御部５５は、チャプタ番号Ｊ＞９９であるか否かを判定する。
【００８７】
ステップＳ９において、チャプタ番号Ｊ＞９９でないと判定された場合、即ち、チャプタ番号Ｊが９９以下の場合、チャプタＪをタイトルＩに含めることができるので、処理はステップＳ１０に進む。
【００８８】
ステップＳ１０において、記録制御部５５は、一時停止制御部５２からの一時停止解除指令の発行有無に基づいて、一時停止ボタン解除がなされたか否かを判定する。
【００８９】
ユーザが一時停止ボタン解除を行わない限り、一時停止解除指令が一時停止制御部５２から発行されないので、ステップＳ１０において、一時停止ボタン解除がなされていないと常に判定され、処理はステップＳ１０に戻され、一時停止ボタン解除がなされたか否かが再度判定される、といったループ処理が繰り返される。即ち、ステップＳ７で一時停止ボタン押下がなされたと判定すると、記録制御部５５は、この記録再生装置の状態を記録状態から一時停止状態に遷移させ、ステップＳ１０のループ処理を繰り返すことで、その状態を一時停止状態のまま保持させる。
【００９０】
その後、ユーザが一時停止ボタン解除を行い、そのことが操作内容検出部５１により検出されて一時停止制御部５２に通知され、その結果、一時停止制御部５２から記録制御部５５に対して一時停止解除指令が発行されると、ステップＳ１０において、一時停止ボタン解除がなされたと判定されて、この記録再生装置の状態が一時停止状態から記録状態に再度遷移される。その結果、処理はステップＳ４に戻され、それ以降の処理が繰り返される。即ち、今度は、タイトルＩの次のチャプタＪ（これまでのチャプタJ-1の次のチャプタＪ）に対応するデータの記録が開始される。
【００９１】
以上のステップＳ３乃至Ｓ１０のループ処理が、タイトルＩのチャプタ１乃至９９のそれぞれに対して繰り返し実行され、その結果、タイトルＩのチャプタ１乃至９９のそれぞれに対応するデータがDVD３１に記録された後、一時停止ボタン押下がなされると、ステップＳ７の処理でＹＥＳであると判定され、ステップＳ８の処理でＪ＝１００に設定される。その結果、ステップＳ９の処理でＹＥＳであると判定されて、処理はステップＳ１１に進む。
【００９２】
すると、図６の例では、上述した本発明の図４の記録手法に対応する処理として、次のような処理が実行される。
【００９３】
即ち、ステップＳ１１において、記録制御部５５は、タイトルＩの生成（タイトルＩの終了処理）を行う。
【００９４】
ステップＳ１２において、チャプタ/タイトル管理部５４は、タイトル番号Ｉを１だけインクリメントする（Ｉ＝Ｉ＋１）。１だけインクリメントされタイトル番号Ｉが、チャプタ/タイトル管理部５４から記録制御部５５に通知されると、処理はステップＳ１３に進む。
【００９５】
ステップＳ１３において、記録制御部５５は、一時停止制御部５２からの一時停止解除指令の発行有無に基づいて、一時停止ボタン解除がなされたか否かを判定する。
【００９６】
ユーザが一時停止ボタン解除を行わない限り、一時停止解除指令が一時停止制御部５２から発行されないので、ステップＳ１３において、一時停止ボタン解除がなされていないと常に判定され、処理はステップＳ１３に戻され、一時停止ボタン解除がなされたか否かが再度判定される、といったループ処理が繰り返される。即ち、チャプタ番号Ｊ＝９９についてのステップＳ７で一時停止ボタン押下がなされたと判定すると、記録制御部５５は、この記録再生装置の状態を、記録状態から記録停止状態に遷移させることを禁止して、その代わりに、記録状態から一時停止状態に遷移させ、ステップＳ１３のループ処理を繰り返すことで、その状態を一時停止状態のまま保持させる。
【００９７】
その後、ユーザが一時停止ボタン解除を行い、そのことが操作内容検出部５１により検出されて一時停止制御部５２に通知され、その結果、一時停止制御部５２から記録制御部５５に対して一時停止解除指令が発行されると、ステップＳ１３において、一時停止ボタン解除がなされたと判定されて、この記録再生装置の状態が一時停止状態から記録状態に再度遷移される。その結果、処理はステップＳ３に戻され、それ以降の処理が繰り返される。即ち、チャプタ番号Ｊ＝１にリセットされ、次のタイトルＩ（これまでのタイトルI-1の次のタイトルＩ）のチャプタ１に対応するデータの記録が開始される。
【００９８】
ところで、上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００９９】
この記録媒体は、装置本体とは別に、ユーザにプログラムを提供するために配布される、プログラムが記録されている磁気ディスク（フロッピディスクを含む）、光ディスク（CD-ROM（Compact Disk-Read Only Memory)，図１のDVD３１を含む）、光磁気ディスク（ＭＤ（Mini-Disk）を含む）、もしくは半導体メモリなどよりなるリムーバブル記録媒体により構成されるだけでなく、装置本体に予め組み込まれた状態でユーザに提供される、プログラムが記録されている図１のFLASHメモリ２や、図１のHDD１２に含まれるハードディスクなどで構成される。
【０１００】
なお、本明細書において、記録媒体に記録されるプログラムを記述するステップは、記載された順序に沿って時系列的に行われる処理はもちろん、必ずしも時系列的に処理されなくとも、並列的または個別に実行される処理をも含むものである。
【図面の簡単な説明】
【０１０１】
【図１】本発明が適用される記録再生装置のハードウエア構成例を示す図である。
【図２】定常記録中における、従来の記録手法および本発明の記録手法の一例を説明する図である。
【図３】タイトル１のチャプタ９９以降の記録についての従来の記録手法を説明する図である。
【図４】タイトル１のチャプタ９９以降の記録についての本発明の記録手法の一例を説明する図である。
【図５】図１の記録再生装置が有する機能のうちの、図４の記録手法が適用されたDVD記録処理を実現するための機能的構成例を示す機能ブロック図である。
【図６】図５の記録再生装置が実行するDVD記録処理、即ち、図４の記録手法が適用されたDVD記録処理の一例を説明するフローチャートである。
【符号の説明】
【０１０２】
１  CPU，  ２  FLASHメモリ，  ３  SDRAM，  ４  制御信号入出力制御部，  ５  操作部，  ６  232C用インタフェース部，  ７  USB用インタフェース部，  ８  表示部，  ９  バス，  １０  エンコーダ/デコーダ，  １１  読み書き制御部，  １２  HDD，  １３  ドライブ，  １４，１５  SDRAM，  １６  AV信号用インタフェース部，  １７，１８  A/D変換部，  １９，２０  D/A変換部，  ２１  i.LINK用インタフェース部，  ２２，２３  切替部，  ２４  電源部，  ３１  DVD，  ５１  操作内容検出部，  ５２  一時停止制御部，  ５３  一時停止回数算出部，  ５４  チャプタ/タイトル管理部，  ５５  記録制御部
【図１】
2006302443.tif 000003
【図２】
2006302443.tif 000004
【図３】
2006302443.tif 000005
【図４】
2006302443.tif 000006
【図５】
2006302443.tif 000007
【図６】
2006302443.tif 000008